(57)【特許請求の範囲】
【請求項１】
ベースコネクタと、該ベースコネクタに対して回転させることにより結合・分離が可能となる着脱コネクタとを備え、
前記ベースコネクタ及び前記着脱コネクタは、この一方のハウジング側部にボスを有するとともに、他方のハウジング側部に前記ボスを差し込んで回転させるためのボスガイド溝を有し、且つ、前記一方のハウジング側部及び前記他方のハウジング側部のいずれか一方に係止突起を有するとともに、いずれか他方に前記係止突起を引っ掛けて前記着脱コネクタの回転を規制する係止溝を有し、さらに、
前記ボスは、ボス本体部と、該ボス本体部の先端側に連続するフランジ部とを有するとともに、ボス突出方向に対し直交方向の断面形状を半円形状に形成することにより、半円形状のボス頂面と、該ボス頂面の円弧部分に連続するフランジ部側面と、該フランジ部側面に連続する本体部側面と、前記ボス頂面の直線部分に連続する平坦なボスストレート側面とを有し、
前記ボスガイド溝は、前記他方のハウジング側部に直交し相手側コネクタに対向する嵌合突き当て面に開口するボス差し込み口と、前記ボス頂面が摺動又は対向するガイド溝底面と、前記フランジ部側面が摺動又は対向するガイド溝側面と、前記本体部側面が摺動又は対向するガイド溝開口部と、前記ボスストレート側面が摺動又は対向するガイド溝案内面と、前記ボスストレート側面が当接するガイド溝ストッパー面と、前記ガイド溝案内面及び前記ガイド溝ストッパー面の連続部分に形成され前記ボスストレート側面に接触して前記回転時に支点となるボス回転支点部とを有する
ことを特徴とする合体コネクタ。
【請求項２】
請求項１に記載の合体コネクタにおいて、
前記嵌合突き当て面の近傍に前記ボス及び前記ボスガイド溝を配置形成するとともに、前記係止突起及び前記係止溝を前記嵌合突き当て面の反対側となる端子挿入面に近い側に配置形成する
ことを特徴とする合体コネクタ。
【請求項３】
請求項１又は請求項２に記載の合体コネクタにおいて、
前記ボス及び／又は前記ボスガイド溝に、前記ボスが回転すると、該ボスと前記ボスガイド溝との間で締まり込みが生じる締まり込み構造部を形成する
ことを特徴とする合体コネクタ。
【発明の詳細な説明】
【技術分野】
【０００１】
本発明は、複数のコネクタを結合させ一組にしてなる合体コネクタに関する。
【背景技術】
【０００２】
複数のコネクタの取り扱い性を向上させるため、コネクタを相互に結合させてなる合体コネクタは従来より知られている。合体コネクタに関しては、例えば下記特許文献１に開示されている。
【０００３】
図９（ａ）及び（ｂ）において、合体コネクタ１は、二つのコネクタ２、３を結合させて一組にすることによりなるコネクタであって、コネクタ２、３のコネクタハウジング４、５には、共に複数の端子収容室６、７が形成されている。各端子収容室６、７には、ワイヤハーネス８、９からの電線１０、１１が引き込まれている。電線１０、１１の端末には、各端子収容室６、７に収容される端子金具（図示省略）が設けられている。
【０００４】
コネクタ２、３は、コネクタハウジング４、５を矢印Ｄで示す方向に相対的にスライドさせることにより結合するようになっている。この結合を行うために、コネクタ２のコネクタハウジング４の外壁には、嵌合溝１２が形成されている。また、コネクタ３のコネクタハウジング５の外壁には、嵌合溝１２に嵌合するＴ字形状の嵌合突起１３が形成されている。嵌合溝１２及び嵌合突起１３は、コネクタハウジング４、５の嵌合方向（矢印Ｄで示す方向と同じ）に沿ってのびるように形成されている。
【０００５】
上記構成及び構造において、嵌合突起１３を嵌合溝１２に嵌め合わせ上記嵌合方向にスライドさせる作業をすると、コネクタ２、３が結合して一組のコネクタになり、これによって合体コネクタ１の組み付けが完了する。嵌合溝１２及び嵌合突起１３は、嵌合し合うと係止状態が形成されるようになっている。
【特許文献１】特開２００１−４３９２８号公報
【発明の開示】
【発明が解決しようとする課題】
【０００６】
コネクタハウジング４、５の各部分の寸法は、製造時のバラツキを考慮して設定されている。従って、嵌合溝１２と嵌合突起１３も当然にバラツキを考慮して寸法が設定されている。このような寸法設定をすると、図９（ｃ）に示す如く、嵌合溝１２と嵌合突起１３との間に間隙１４が生じるようになる（嵌合溝１２と嵌合突起１３を隙間なしの状態に設計することは不可能であるため、結果、間隙１４が生じるようになる）。嵌合溝１２と嵌合突起１３との間に生じる間隙１４は、いわゆる係止ガタとなり、この係止ガタによってコネクタハウジング４、５（コネクタ２、３）は矢印１５、１６、１７（図９（ｂ）、（ｃ）参照）で示す方向等にガタ付いてしまうことになる。
【０００７】
ガタ付きは、例えば矢印１６の方向のガタ付きの場合であると、図中の破線で示すようにコネクタハウジング４、５が相対的に位置ズレするようなガタ付きとなる。破線で示すようなガタ付きの場合、相手側コネクタとの嵌合がし難くなり、この際に相手側コネクタの雄端子金具と合体コネクタ１のコネクタハウジング５との干渉が生じてしまうことになる。従って、従来の合体コネクタ１にあっては、雄端子金具の先端拾い性が悪く、端子金具同士が正規接触できなくなる恐れがあるという問題点を有している。この問題点は、矢印１７の方向のガタ付きの場合も同様である。
【０００８】
一方、矢印１５の方向のガタ付きであると、相手側コネクタとの嵌合方向のガタ付きとなることから、ガタ付きの分だけ端子金具同士の接触代が減少することになり、これによって導通不良を引き起こしてしまうという問題点を有している。導通不良は、性能面に影響を来してしまうことになる。
【０００９】
尚、上記のように相手側コネクタとの嵌合方向に二つのコネクタをスライドさせて結合するのではなく、スライドを相手側コネクタとの嵌合方向に直交する方向にして二つのコネクタを結合させるような場合を考えると（図８（ａ）のような結合）、この場合は上記と同様に雄端子金具の先端拾い性が悪くなり、端子金具同士が正規接触することができなくなる恐れを有している。
【００１０】
本発明は、上記した事情に鑑みてなされたもので、端子金具の先端拾い性の向上を図るとともに、端子金具同士の接触代の減少を防止して性能向上を図ることを可能とする合体コネクタを提供することを課題とする。
【課題を解決するための手段】
【００１１】
上記課題を解決するためになされた請求項１記載の本発明の合体コネクタは、ベースコネクタと、該ベースコネクタに対して回転させることにより結合・分離が可能となる着脱コネクタとを備え、前記ベースコネクタ及び前記着脱コネクタは、この一方のハウジング側部にボスを有するとともに、他方のハウジング側部に前記ボスを差し込んで回転させるためのボスガイド溝を有し、且つ、前記一方のハウジング側部及び前記他方のハウジング側部のいずれか一方に係止突起を有するとともに、いずれか他方に前記係止突起を引っ掛けて前記着脱コネクタの回転を規制する係止溝を有し、さらに、前記ボスは、ボス本体部と、該ボス本体部の先端側に連続するフランジ部とを有するとともに、ボス突出方向に対し直交方向の断面形状を半円形状に形成することにより、半円形状のボス頂面と、該ボス頂面の円弧部分に連続するフランジ部側面と、該フランジ部側面に連続する本体部側面と、前記ボス頂面の直線部分に連続する平坦なボスストレート側面とを有し、前記ボスガイド溝は、前記他方のハウジング側部に直交し相手側コネクタに対向する嵌合突き当て面に開口するボス差し込み口と、前記ボス頂面が摺動又は対向するガイド溝底面と、前記フランジ部側面が摺動又は対向するガイド溝側面と、前記本体部側面が摺動又は対向するガイド溝開口部と、前記ボスストレート側面が摺動又は対向するガイド溝案内面と、前記ボスストレート側面が当接するガイド溝ストッパー面と、前記ガイド溝案内面及び前記ガイド溝ストッパー面の連続部分に形成され前記ボスストレート側面に接触して前記回転時に支点となるボス回転支点部とを有することを特徴としている。
【００１２】
また、請求項２記載の本発明の合体コネクタは、請求項１に記載の合体コネクタにおいて、前記嵌合突き当て面の近傍に前記ボス及び前記ボスガイド溝を配置形成するとともに、前記係止突起及び前記係止溝を前記嵌合突き当て面の反対側となる端子挿入面に近い側に配置形成することを特徴としている。
【００１３】
また、請求項３記載の本発明の合体コネクタは、請求項１又は請求項２に記載の合体コネクタにおいて、前記ボス及び／又は前記ボスガイド溝に、前記ボスが回転すると、該ボスと前記ボスガイド溝との間で締まり込みが生じる締まり込み構造部を形成することを特徴としている。
【００１４】
このような特徴を有する本発明によれば、ボスガイド溝に差し込まれたボスを中心に回転し、そして、この回転の後に係止状態が形成されるとともにボスの抜けが完全に規制される。本発明によれば、回転によって着脱コネクタとベースコネクタの二つが結合して合体コネクタが形成される。合体コネクタは、係止状態を解除して着脱コネクタを結合時とは逆方向に回転させると、ボスがボスガイド溝から外れて二つのコネクタに分離する。
【００１５】
本発明によれば、係止突起と係止溝との係止部分に構造上ガタが生じても、このガタは回転方向の角度で見た場合に微小な角度になり、結果、回転によって結合する着脱コネクタを基準とした時の、ベースコネクタにおける雄端子拾い部（相手端子拾い部）の変位量を小さく抑えることが可能になる。雄端子拾い部の変位量を小さく抑えることにより、接続相手となる相手側コネクタとの嵌合や電気的接続を良好な状態で行うことが可能になる。上記微小な角度は、上記係止部分のガタを一定とすると、係止部分がボス及びボスガイド溝の位置（回転中心）から離れるにしたがって、また、ボス及びボスガイド溝が雄端子拾い部を設けた面（嵌合突き当て面）に近づくにしたがって小さくなる。
【発明の効果】
【００１６】
請求項１に記載された本発明によれば、端子金具の先端拾い性の向上を図ることができるという効果を奏する。これにより端子金具同士の正規接触を確実に行えるようにすることができるという効果を奏する。また、本発明によれば、端子金具同士の接触代の減少を防止して性能向上を図ることができるという効果を奏する。
【００１７】
請求項２に記載された本発明によれば、着脱コネクタを基準とした時の、ベースコネクタにおける雄端子拾い部の変位量を小さく抑えることができるという効果を奏する。これにより、端子金具の先端拾い性を更に向上させて端子金具同士の正規接触をより一層確実に行えるようにすることができるという効果を奏する。
【００１８】
請求項３に記載された本発明によれば、ボスガイド溝からのボスの抜けをより確実に防止することができるという効果を奏する。また、ボスガイド溝におけるボスのガタ付きを防止することができるという効果を奏する。
【発明を実施するための最良の形態】
【００１９】
以下、図面を参照しながら説明する。図１は本発明の合体コネクタの一実施の形態を示す図であり、図１（ａ）及び（ｂ）はベースコネクタ及び着脱コネクタの結合前の状態を示す斜視図、図１（ｃ）は着脱コネクタの回転途中状態を示す斜視図である。また、図２はベースコネクタ及び着脱コネクタの結合前の状態を示す図であり、図２（ａ）は結合前の状態を示す正面図、図２（ｂ）は図２（ａ）のＡ部分の拡大図、図２（ｃ）は結合前の状態のボス及びボスガイド溝を示す斜視図である。さらに、図３はボス及びボスガイド溝に係る説明図であり、図３（ａ）は結合前の状態のボス及びボスガイド溝を示す斜視図、図３（ｂ）はボスをボスガイド溝に差し込んだ状態を示す断面図、図３（ｃ）はボスの回転途中の状態を示す断面図、図３（ｄ）はボスの回転終了状態を示す断面図である。さらにまた、図４〜図６は結合過程に係る説明図である。
【００２０】
図１において、引用符号２１はベースコネクタを示している。また、引用符号２２は着脱コネクタを示している。合体コネクタ２３（図６（ａ）参照）は、複数のコネクタの取り扱い性を向上させるため、ベースコネクタ２１及び着脱コネクタ２２を相互に結合させることにより形成されている。具体的には、ベースコネクタ２１に対し着脱コネクタ２２をこれらが並列状態になるまで回転させて結合を行い（着脱コネクタ２２を略９０゜回転させて結合を行う）、この回転による結合によって合体コネクタ２３は形成されるようになっている。
【００２１】
図１ないし図３において、ベースコネクタ２１は、絶縁性を有する合成樹脂製のベースコネクタハウジング２４と、このベースコネクタハウジング２４内に収容係止される端子金具（図示省略）とを備えて構成されている。また、着脱コネクタ２２も、絶縁性を有する合成樹脂製の着脱コネクタハウジング２５と、この着脱コネクタハウジング２５内に収容係止される端子金具（図示省略）とを備えて構成されている。
【００２２】
ベースコネクタハウジング２４の着脱コネクタ２２側となるハウジング側部２６には、ボスガイド溝２７と、係止突起２８とが形成されている。ボスガイド溝２７は、図示しない相手側コネクタに対向する嵌合突き当て面２９の一部に跨るように形成されている。係止突起２８は、ボスガイド溝２７から離れるような位置に配置形成されている。
【００２３】
嵌合突き当て面２９は、ハウジング側部２６に対して直交するように形成されている。このような嵌合突き当て面２９には、相手側端子挿入孔３０が複数形成されている。各相手側端子挿入孔３０には、特に符号を付さないが貫通孔の部分を囲むようにテーパが形成されている（図２（ｂ）参照）。図示しない相手側コネクタの端子金具は、相手側端子挿入孔３０に形成されるテーパによってベースコネクタハウジング２４の内部へと案内されるようになっている（相手側端子挿入孔３０のテーパによって端子金具の先端が拾われ（相手端子拾い部として機能する）、これによりベースコネクタハウジング２４の内部へと確実に案内されるようになる。従来例のように比較的大きなガタ付きがあると端子金具を拾うことができなくなるが、本発明においてはガタ付き（係止ガタ）を極力抑えることができるようになっている。本発明は、後述するが端子金具の先端拾い性の向上を図るとともに、端子金具同士の接触代の減少を防止する構造を特徴としている）。
【００２４】
着脱コネクタハウジング２５のベースコネクタ２１側となるハウジング側部３１には、ボスガイド溝２７に差し込まれるボス３２と、係止突起２８に引っ掛かる係止溝３３とが形成されている。ボス３２は、ボスガイド溝２７の位置に合わせて配置形成されている。また、係止溝３３も同様に、係止突起２８の位置に合わせて配置形成されている。
【００２５】
ボス３２は、ボス本体部３４と、このボス本体部３４の先端側に連続するフランジ部３５とを有している。ボス３２は、ボス突出方向に対して直交方向の断面が半円形となる形状に形成されている。ボス３２は、フランジ部３５がボス本体部３４よりも大きくなるように形成されている。
【００２６】
ボス３２は、半円形状の平坦なボス頂面３６と、このボス頂面３６の円弧部分に連続し断面テーパ状に傾斜する部分を有するフランジ部湾曲側面３７（フランジ部側面）と、フランジ部湾曲側面３７に連続する本体部湾曲側面３８（本体部側面）と、ボス頂面３６の直線部分に連続する平坦なボスストレート側面３９とを有している。ボス３２は、この基端からボス頂面３６までの高さが所望の高さとなるように設定されている。このようなボス３２は、ボスガイド溝２７に差し込まれて回転するようになっている。尚、フランジ部湾曲側面３７の形状は、断面テーパ状に傾斜するような形状の他に、断面円弧状に傾斜する形状、或いは鉤状となる形状であってもよいものとする。ボスガイド溝２７に当接してボス突出方向の移動を規制することができる形状であれば特に限定されないものとする。
【００２７】
ボスガイド溝２７は、嵌合突き当て面２９に開口するボス差し込み口４０と、ボス頂面３６が摺動又は対向するガイド溝底面４１と、フランジ部湾曲側面３７が摺動又は対向する断面テーパ状に傾斜するガイド溝側面４２と、本体部湾曲側面３８が摺動又は対向するガイド溝開口部４３と、ボスストレート側面３９が摺動又は対向するガイド溝案内面４４と、ボスストレート側面３９が当接するガイド溝ストッパー面４５と、ガイド溝案内面４４及びガイド溝ストッパー面４５の連続部分に形成されボスストレート側面３９に接触して回転時に支点となるボス回転支点部４６とを有している。ガイド溝側面４２は、フランジ部湾曲側面３７の形状に合わせて形成されている。
【００２８】
ガイド溝案内面４４及びガイド溝ストッパー面４５は、共に平坦な面で直交するように配置形成されている。ガイド溝案内面４４及びガイド溝ストッパー面４５の連続部分は直角となり、ボス回転支点部４６はボスストレート側面３９に対して線接触状態で支持するようになっている。ガイド溝ストッパー面４５は、ボスストレート側面３９が当接すると、ボス３２の抜けを規制することができるようになっている。ガイド溝ストッパー面４５は、係止面としての機能を有している。
【００２９】
ここでボス３２の抜けに関して補足説明をすると、ボス３２のフランジ部湾曲側面３７及びボスガイド溝２７のガイド溝側面４２は単なる断面テーパ状に傾斜する形状でなく、ボス３２が回転するとこのボス３２とボスガイド溝２７との間で締まり込みが生じるような形状（締まり込み構造部として機能する形状）に形成されているものとする。ボス３２とボスガイド溝２７との間で締まり込みが生じることにより、この部分でのガタ付き（特にボス突出方向のガタ付き）も規制されるようになる。上記締まり込み構造部として機能する形状の一例を挙げると、ボス３２をボスガイド溝２７に差し込んだ直後はフランジ部湾曲側面３７及びガイド溝側面４２の断面テーパ状に傾斜する面同士の間に隙間が生じ、この隙間がボス３２の回転で次第に小さくなり、最終的に断面テーパ状に傾斜する面同士が押し合って密着するような形状が挙げられるものとする。この場合、例えば断面テーパ状に傾斜する面の一方の傾斜角度を一定とし、他方の傾斜角度を可変させるようにすればよい。
【００３０】
ボス３２及びボスガイド溝２７は、本形態において、嵌合突き当て面２９の近傍に配置形成されている（端子拾い余裕代を大きく取るために嵌合突き当て面２９の近傍に配置されている。但し、図示の位置に限定されないものとする）。また、ボス３２及びボスガイド溝２７は、本形態において、ハウジング側部３１及び２６の高さ方向中央に配置形成されている（相手側端子挿入孔３０の位置によるものとする）。係止突起２８及び係止溝３３は、ボス３２及びボスガイド溝２７を中心とする回転軌跡上に位置するように配置形成されている。係止突起２８及び係止溝３３は、ボス３２及びボスガイド溝２７から離れる位置に配置形成されている。本形態においては、嵌合突き当て面２９の反対側となる端子挿入面４７に近い側に配置形成されている。
【００３１】
次に、上記構成及び構造に基づきながら、ベースコネクタ２１及び着脱コネクタ２２の結合過程について説明する。
【００３２】
図１（ａ）及び（ｂ）において、着脱コネクタ２２をベースコネクタ２１に対し９０°起こした状態にしてから着脱コネクタ２２を矢印Ｐの方向に移動させる。着脱コネクタ２２を矢印Ｐの方向に移動させると、図３（ｂ）及び図４に示す如く、ボス３２がベースコネクタ２１のボスガイド溝２７に差し込まれる。ボス３２は、ボス差し込み口４０を通過してボスガイド溝２７の内部に案内される。この時、ボス３２は、ボスストレート側面３９がガイド溝案内面４４を摺動し、また、ボス頂面３６がガイド溝底面４１を摺動し、また、フランジ部湾曲側面３７がガイド溝側面４２を摺動し、また、本体部湾曲側面３８がガイド溝開口部４３を摺動する（構造上全ての面同士が摺動する状態にはならない。いずれかの面同士の間には極僅かな隙間が生じるものとする）。
【００３３】
図１（ｃ）、図３（ｃ）、及び、図５において、着脱コネクタ２２を倒すように矢印Ｑの回転方向に移動させると、ボスストレート側面３９が接触するボス回転支点部４６を支点としてボス３２が回転する。この時、ボス３２は、ボス頂面３６がガイド溝底面４１を更に摺動し、また、フランジ部湾曲側面３７がガイド溝側面４２を更に摺動し、また、本体部湾曲側面３８がガイド溝開口部４３を更に摺動する。
【００３４】
図３（ｄ）及び図６において、着脱コネクタ２２をベースコネクタ２１に対しこれらが並列状態になるまで回転させると、ボス頂面３６がガイド溝底面４１を更に摺動し、また、フランジ部湾曲側面３７がガイド溝側面４２を更に摺動し、また、本体部湾曲側面３８がガイド溝開口部４３を更に摺動するとともに、ボスストレート側面３９がガイド溝ストッパー面４５に当接する。ボスストレート側面３９がガイド溝ストッパー面４５に当接すると、ボス３２はボス差し込み口４０からの抜けが規制される。また、ボス３２は、フランジ部湾曲側面３７がガイド溝側面４２に引っ掛かっていることから、ガイド溝開口部４３からの抜けも規制される。
【００３５】
着脱コネクタ２２とベースコネクタ２１とが並列状態になると、着脱コネクタ２２の係止突起２８がベースコネクタ２１の係止溝３３に引っ掛かり、これによって係止状態が形成される（図７参照。図７に関しては後述する）。係止状態が形成されると回転が規制され、着脱コネクタ２２とベースコネクタ２１とが完全に結合する。これにより合体コネクタ２３の形成が完了する。
【００３６】
ボス３２及びボスガイド溝２７は、嵌め合いでなく、回転によって上記のような面同士を当接させる係止構造を有することから、端子金具同士の接続方向のガタ付きを従来よりも小さく抑えることができる。従って、端子金具同士の接触代の減少を防止することができるという効果を奏する。
【００３７】
続いて、回転によって結合する着脱コネクタ２２を基準とした時の、ベースコネクタ２１における相手端子拾い部の変位量が小さいことについて説明する。図７（ａ）及び（ｂ）は共に本発明の合体コネクタ２３の相手端子拾い部の変位量に関する説明図である。また、図８（ａ）〜（ｃ）は図７の比較例であり係止ガタに関する説明図である。
【００３８】
図７において、回転を規制する部分となる係止突起２８及び係止溝３３の係止状態における係止ガタは０．３０ｍｍに設定されている。このような係止ガタに対して着脱コネクタ２２を矢印Ｒで示す反結合方向へ振ってみると、合体コネクタ２３の水平方向の中心線に対して相手端子拾い部の位置の寸法は２．３３１６ｍｍとなる。一方、着脱コネクタ２２を矢印Ｑで示す結合方向へ振ってみると、中心線に対する相手端子拾い部の位置の寸法は２．３２９１ｍｍとなる。従って、相手端子拾い部の位置における位置ズレ量（変位量）は、０．００２５ｍｍ（＝２．３３１６−２．３２９１）となることが分かる。本発明の合体コネクタ２３は、回転による結合を採用し、また、係止突起２８及び係止溝３３が回転中心から離れることから、係止ガタ０．３０ｍｍの設定に対して０．００２５ｍｍしか相手端子拾い部のズレが生じないことになる。従って、僅かなズレであることから、結果、相手側コネクタとの嵌合や電気的接続を良好な状態で行うことができるようになる。
【００３９】
図８において、嵌合突起５１を嵌合溝５２に嵌め合わせるようなスライド嵌合構造にあっては、係止突起５３及び係止溝５４の係止状態における係止ガタを図７と同様に０．３０ｍｍに設定すると、スライド嵌合構造では０．３０ｍｍの係止ガタの分だけ相手端子拾い部の位置がズレしてしまうことになる。
【００４０】
上記の位置ズレ量からも分かるように、本発明は従来よりも相手端子拾い部の変位量を小さく抑えることができることから、結果、端子金具の接触信頼性を向上させることができるという効果を奏する。
【００４１】
この他、本発明は本発明の主旨を変えない範囲で種々変更実施可能なことは勿論である。
【図面の簡単な説明】
【００４２】
【図１】本発明の合体コネクタの一実施の形態を示す図であり、（ａ）及び（ｂ）はベースコネクタ及び着脱コネクタの結合前の状態を示す斜視図、（ｃ）は着脱コネクタの回転途中状態を示す斜視図である。
【図２】ベースコネクタ及び着脱コネクタの結合前の状態を示す図であり、（ａ）は結合前の状態を示す正面図、（ｂ）は（ａ）のＡ部分の拡大図、（ｃ）は結合前の状態のボス及びボスガイド溝を示す斜視図である。
【図３】ボス及びボスガイド溝に係る説明図であり、（ａ）は結合前の状態のボス及びボスガイド溝を示す斜視図、（ｂ）はボスをボスガイド溝に差し込んだ状態を示す断面図、（ｃ）はボスの回転途中の状態を示す断面図、（ｄ）はボスの回転終了状態を示す断面図である。
【図４】結合過程に係る説明図であり、（ａ）はボスをボスガイド溝に差し込んだ際のベースコネクタ及び着脱コネクタの状態を示す正面図、（ｂ）は（ａ）のＢ−Ｂ線断面図（要部拡大図を含む）である。
【図５】結合過程に係る説明図であり、（ａ）は着脱コネクタの回転途中状態を示す正面図、（ｂ）は（ａ）のＣ−Ｃ線断面図（要部拡大図を含む）である。
【図６】結合過程に係る説明図であり、（ａ）は着脱コネクタの回転終了状態を示す正面図、（ｂ）は（ａ）のＤ−Ｄ線断面図（要部拡大図を含む）である。
【図７】（ａ）、（ｂ）共に相手端子拾い部の変位量に関する説明図である。
【図８】（ａ）〜（ｃ）は図７の比較例であり係止ガタに関する説明図である。
【図９】従来例の合体コネクタの図であり、（ａ）は結合前の状態を示す斜視図、（ｂ）は結合後となる合体コネクタの斜視図、（ｃ）はガタに関する説明図である。
【符号の説明】
【００４３】
２１  ベースコネクタ
２２  着脱コネクタ
２３  合体コネクタ
２４  ベースコネクタハウジング
２５  着脱コネクタハウジング
２６  ハウジング側部
２７  ボスガイド溝
２８  係止突起
２９  嵌合突き当て面
３０  相手側端子挿入孔
３１  ハウジング側部
３２  ボス
３３  係止溝
３４  ボス本体部
３５  フランジ部
３６  ボス頂面
３７  フランジ部湾曲側面（フランジ部側面）
３８  本体部湾曲側面（本体部側面）
３９  ボスストレート側面
４０  ボス差し込み口
４１  ガイド溝底面
４２  ガイド溝側面
４３  ガイド溝開口部
４４  ガイド溝案内面
４５  ガイド溝ストッパー面
４６  ボス回転支点部
４７  端子挿入面
【図１】
0005060982.tif 000002
【図２】
0005060982.tif 000003
【図３】
0005060982.tif 000004
【図４】
0005060982.tif 000005
【図５】
0005060982.tif 000006
【図６】
0005060982.tif 000007
【図７】
0005060982.tif 000008
【図８】
0005060982.tif 000009
【図９】
0005060982.tif 000010